(57)【要約】      （修正有）【課題】高価な薬品などを使用することなくアスベストおよびフロン等の有機ハロゲン化合物処理による酸性廃液を処理する方法を提供する。【解決手段】アスベストの無害化処理において、フロン等の有機ハロゲン化合物処理工程から排出されるフッ化水素を用いることにより、廃棄物で廃棄物を処理することができ、安価に同時に２種類の廃棄物の処理を行うことが出来る。【選択図】なし【特許請求の範囲】
【請求項１】
廃棄アスベストを、フロン等の有機ハロゲン化合物処理装置から発生する酸性廃液に浸漬させ無害化減容化させることを特徴とする装置。
【請求項２】
フロン等の有機ハロゲン化合物処理装置から発生する酸性廃液を、廃棄アスベスト中のケイ酸と反応させ中和処理させることを特徴とする装置。
【請求項３】
請求項１に示す特徴によりアスベストを、請求項２に示す特徴によりフロン等の有機ハロゲン化合物処理装置から発生する酸性廃液を同時に無害化処理することが出来る装置。
【発明の詳細な説明】
【技術分野】
【０００１】
本発明は、アスベストを含む建設廃材の処理（無害化・減量化）に関するものである。
【背景技術】
【０００２】
アスベストは、融点が摂氏１５００度程度と高く、高い杭長力をもち、柔軟性があり、加工しやすく、耐熱性・断熱性に優れ、耐食性を有するなどの特性を持つ天然鉱物で、鉱物繊維として加工され幅広く利用された。
【０００３】
このような特性から、セメントと複合化して建設資材として１９５０年頃から利用され始め、その他にも、電気製品、自動車や家庭用品などさまざまな形態で利用されてきた。
【０００４】
しかし近年、アスベストを人間が吸引すると、２０〜５０年後に肺ガンなどの健康障害が発生する恐れがあることが明らかとなり、現在ではその製造・輸入・使用などが禁止され、処理が義務付けられている。
【０００５】
現在は、現場からはく離回収した繊維状のアスベストが廃棄物として問題になっている。これらは特別廃棄物として特殊な管理体制のある処理場において埋設処理されているのが現状である。しかしアスベストを含んだ建築用材（例えば吹き付け石綿、石綿含有吹き付けロックウール、石綿含有耐火被覆板、石綿ケイ酸カルシウム板第一種、同第二種、ビニル床タイル、押し出し成型セメント板、住宅屋根用化粧スレート、繊維強化セメント板、窯業用サイディング等）の廃棄量は２０１０年から２０２０年にかけてそのピークを迎えると言われている。すでに特別な処理場も手狭になってきており近い将来廃棄処理するスペースが枯渇することが考えられる。そのため、アスベストの処理においては無害化だけでなく減量化も必要とされている。
【０００６】
現在最も主流となっているアスベストの処理方法は高温加熱による融解処理である。しかし、建築用材を代表するようにアスベストの含有率が低い物の加熱融解処理法は非効率的である。
【０００７】
さて、アスベスト繊維の主成分であるケイ酸（ＳｉＯ２）は、フッ化水素（ＨＦ）によって良く溶解することは高校の化学実験の教科書にも紹介されるほどの公知技術である。ＨＦは石英・ガラス・陶磁器を侵す。この特性を利用しガラス器に目盛りを刻んだり電球の内面つや消しなどに用いたりする。
水溶液中・・・ＳｉＯ２＋６ＨＦ→Ｈ２ＳｉＦ６＋２Ｈ２Ｏ
空気中・・・ＳｉＯ２＋４ＨＦ→ＳｉＦ４＋２Ｈ２Ｏ
一般的にＨＦの濃度が高い場合は水溶液中の反応が起こり低い場合は空気中の反応が起こる。
【０００８】
しかし、ＨＦは毒性が強いものの、工業的価値（精製、セラミック、鉄鋼、化学薬品、ポリマー、半導体、冷却材生産の様々な加工処理で使用）が高く非常に高価であるために、これを廃棄物たるアスベスト繊維の処理に利用しようとする試みは少ない。
【０００９】
一方、アスベストと同様に最近注目されているフロン等の有機ハロゲン化合物の処理において、反応副生成物としてＨＦ等の酸が発生し、これを無害化して処理することが問題になっている。例えば特許文献１〜２に代表されるフロン等の有機ハロゲン化合物処理装置においては、発生する酸に水酸化ナトリウムや生石灰等のアルカリを添加し中和無害化する手法が取られている。しかしこれらの手法では反応残渣（多くが蛍石）の固形物が大量に発生し、この廃棄物が新たな課題になる。
【００１０】
【特許文献１】特許番号３６０６５７４「ハロゲン化合物の処理方法とその装置（プラズマ）」
【特許文献２】特許番号３６０６５７５「ハロゲン化合物の処理方法とその方法（燃焼）」
【発明の開示】
【発明が解決しようとする課題】
【００１１】
本発明は、このような従来の問題を解決しようとするもので、アスベスト繊維の無害化処理において、本来は違うプロセスであったフロン等の有機ハロゲン化合物処理工程から排出されるフッ化水素を用いる方法を提供することを目的とするものである。
【発明の効果】
【００１２】
請求項１の本発明によれば、フロン等の有機ハロゲン化合物処理工程から排出されるフッ化水素をアスベスト繊維の処理に使用することでコストの軽減を図ることが出来る。アスベストの針状形状が破壊されるために特別な管理体制のある処理場に投棄する必要が無くなり、一般的な処理場でじゅうぶん処理することが出来る。
【００１３】
請求項２の本発明によれば、フロン等の有機ハロゲン化合物処理工程から排出されたＨＦはアスベスト中のＳｉＯ２と反応し中和されるため後処理が不必要になる。また請求項３の本発明によれば、アスベスト廃材とフロン等の有機ハロゲン化合物処理廃液を同時に処理することにより高効率にかつ安価にこれを提供することが出来る。
【発明を実施するための最良の形態】
【００１４】
フロン等の有機ハロゲン化合物処理の燃焼工程において発生するＨＦの含まれる酸性廃液を燃焼廃液槽から浸漬槽に入れ、アスベスト含有物質を当該槽に投入する。ＨＦによりアスベストが持つ害を及ぼす部位を溶解させ、変形させ無害化させる。槽内の溶液の水素イオン濃度を測定管理し、中和した段階で廃液を除去し新たな酸性廃液を槽内に投入する。
【実施例】
【００１５】
本発明について実施の実態を説明する。実施は常温常圧下とした。
ケイ酸に対するフッ化水素の影響力を確認するため、人体に影響が無いといわれる人造鉱物繊維（ケイ酸含有率５０％程度・非晶質繊維）を、希釈したフッ化水素に浸漬させた。１０％のフッ化水素水溶液において、人造鉱物繊維１ｇあたり２０分で完全に溶解した。
【００１６】
アスベスト繊維（天然鉱物晶質繊維）に適用したところ、１％に希釈したフッ化水素に浸漬させたところ、浸漬時間が長くなるにしたがって、白色化と減容化（時間当たり３０〜４０％の質量減少）が確認できた。また顕微鏡写真で観察したところ針状組成は浸漬後１時間でほぼ消滅していた。
【００１７】
なお、アスベスト繊維にはクリソタイル、クロシドライト、アモサイト、アンソフィライト、トレモライト、アクチノライト等の種類があるが、本発明はこの例に限定されるものではない。
【産業上の利用可能性】
【００１８】
上述の発明は、廃棄物（フロン等の有機ハロゲン化合物処理装置の廃液＝フッ化水素）で廃棄物（アスベスト繊維）を処理する方法で、低コストに廃棄物の減量化無害化が可能である。
【図面の簡単な説明】
【００１９】
【図１】本発明の実施の態様である処理装置の概略図である。
【符号の説明】
【００２０】
１１，１２，１３，１４，１５  燃料ボンベ
１１ａ，１２ａ，１３ａ，１４ａ，１５ａ  燃料制御用バルブ
１１ｂ、１２ｂ、１３ｂ、１４ｂ、１５ｂ  燃料流量計
２１，２２，２３，２４，２５  燃料輸送管
２０  混合された燃料輸送管
３０  燃焼室
３３  処理塔
５３  燃焼廃液槽
６０  浸漬層
６１  燃焼廃液輸送管
６２  処理液輸送管
【図１】
2008278900.tif 000002